(57)【特許請求の範囲】
【請求項１】
監視対象のエージェント装置をネットワーク経由で監視制御するマネージャ装置を備えたマネージャ−エージェント監視制御システムにおいて、
上記エージェント装置は、
自己に発生した事象を伝える通知情報を上記マネージャ装置に発信する通知発信手段と、上記マネージャ装置からの通信確立要求の受信によって要求元のマネージャ装置を特定し、その特定したマネージャ装置との間で通信接続が確立すると、その特定したマネージャ装置に対する上記通知発信手段による通知情報の発信を停止する通知抑止手段と、上記通知抑止手段により発信が停止された通知情報を履歴情報として逐次格納する通知履歴格納手段と、上記特定したマネージャ装置により上記通知履歴格納手段に格納された履歴情報が取り出されたあとに、上記通知抑止手段による通知情報の発信の停止を解除する通知抑止解除手段とを備え、
上記マネージャ装置は、
上記エージェント装置に通信確立を要求する通信確立要求手段と、上記エージェント装置の装置構成を認識する装置構成認識手段と、装置構成の認識中に上記エージェント装置が格納した履歴情報を取得する履歴情報取得手段と、上記エージェント装置の各装置構成に上記履歴情報を反映させて状態整合処理を行う状態整合手段と
を備えたことを特徴とするマネージャ−エージェント監視制御システム。
【請求項２】
ネットワーク経由でマネージャ装置に監視制御されるエージェント装置において、
自己に発生した事象を伝える通知情報を上記マネージャ装置に発信する通知発信手段と、
上記マネージャ装置からの通信確立要求の受信によって要求元のマネージャ装置を特定し、その特定したマネージャ装置との間で通信接続が確立すると、その特定したマネージャ装置に対する上記通知発信手段による通知情報の発信を停止する通知抑止手段と、
上記特定したマネージャ装置によって自己の装置構成が認識される間に発生した事象に関する通知情報を履歴情報として逐次格納する通知履歴格納手段と、
上記特定したマネージャ装置により上記通知履歴格納手段に格納された履歴情報が取り出されたあとに、上記通知抑止手段による通知情報の発信の停止を解除する通知抑止解除手段と
を備えたことを特徴とするエージェント装置。
【請求項３】
監視対象のエージェント装置をネットワーク経由で監視制御するマネージャ装置を備えたマネージャ−エージェント監視制御システムの状態整合方法において、
上記エージェント装置が自己に発生した事象を伝える通知情報を上記マネージャ装置に発信する通知発信ステップと、
上記エージェント装置が上記マネージャ装置からの通信確立要求の受信によって要求元のマネージャ装置を特定するマネージャ装置特定ステップと、
上記エージェント装置と上記特定したマネージャ装置との両装置間で通信接続を確立する通信確立ステップと、
上記両装置の通信接続が確立すると、上記エージェント装置が上記特定したマネージャ装置に対する自己に発生した事象を伝える通知情報の発信を停止する通知抑止ステップと、
上記エージェント装置が発信を停止された上記通知情報を履歴情報として逐次格納する通知履歴格納ステップと、
上記マネージャ装置が上記エージェント装置の装置構成を認識する装置構成認識ステップと、
装置構成の認識中に上記エージェント装置が格納した履歴情報を上記マネージャ装置が逐次取得する履歴情報取得ステップと、
上記エージェント装置が格納した履歴情報を上記マネージャ装置が取得したあとに、上記エージェント装置が通知情報の発信の停止を解除する通知抑止解除ステップと、
上記マネージャ装置が上記エージェント装置の各装置構成に上記履歴情報を反映させて状態整合処理を行う状態整合ステップと
を備えたことを特徴とするマネージャ−エージェント監視制御システムの状態整合方法。
【請求項４】
自己に発生した事象を伝える通知情報をネットワーク経由で監視制御するマネージャ装置に発信する通知発信手段、
上記マネージャ装置からの通信確立要求の受信によって要求元のマネージャ装置を特定し、その特定したマネージャ装置との間で通信接続が確立すると、その特定したマネージャ装置に対する上記通知発信手段による通知情報の発信を停止する通知抑止手段、
上記特定したマネージャ装置によって自己の装置構成が認識される間に発生した事象に関する通知情報を履歴情報として逐次格納する通知履歴格納手段、
上記特定したマネージャ装置により上記通知履歴格納手段に格納された履歴情報が取り出されたあとに、上記通知抑止手段による通知情報の発信の停止を解除する通知抑止解除手段
としてコンピュータを機能させるプログラム。
【発明の詳細な説明】
【０００１】
【発明の属する技術分野】
この発明はネットワークを介して監視対象のエージェント装置とこれを監視制御するマネージャ装置とが接続するマネージャ−エージェント監視制御システムに係り、特にエージェント装置の装置構成の認識中に履歴情報として格納された通知情報に基づいて状態整合処理を行うマネージャ−エージェント監視制御システム、エージェント装置及びマネージャ−エージェント監視制御システムの状態整合方法並びにプログラムに関するものである。
【０００２】
【従来の技術】
ネットワークを介して監視対象のエージェント装置とこれを監視制御するマネージャ装置とが接続するマネージャ−エージェント監視制御システムでは、マネージャ装置とエージェント装置との間での状態整合が必須である。つまり、マネージャ装置とエージェント装置との間での通信がある期間途絶えていた状態から新たに通信が確立されると、例えばエージェント装置が実装するハードウェア（以下、Ｈ／Ｗと称する）資源が、通信が途絶えていた期間以前と新たに通信が確立されたときとで異なる場合がある。このような場合、マネージャ装置は、エージェント装置の監視制御に要する情報として、そのＨ／Ｗ構成に係る情報を読み出して状態整合を行う。このような通信確立時における両者の状態整合が完了することで、マネージャ−エージェント監視制御システムが稼働する。
【０００３】
ここで、状態整合動作の簡単な流れを説明する。
マネージャ装置との間で通信状態が確立すると、マネージャ装置は、エージェント装置に対して、現在のエージェント装置の状態やこれに実装されるＨ／Ｗに関する情報を要求する（以下、呼び出し要求と称する）。例えば、エージェント装置のＨ／Ｗ構成情報、Ｈ／Ｗ警報情報やＨ／Ｗの状態情報などが要求される。ここで、Ｈ／Ｗ構成情報としては、例えばエージェント装置を構成するコンピュータ装置のスロット構成やこれらスロットごとに登録されたＨ／Ｗの種別を規定する情報などがある。また、Ｈ／Ｗ警報情報としては、例えばエージェント装置に発生した障害情報、障害発生の発生・回復やその発生・回復の時刻を示す情報がある。さらに、Ｈ／Ｗの状態情報としては、エージェント装置を構成するコンピュータ装置やシステムの運用状態、これが扱っている通信回線の種別、通信回線の伝送速度や回線の使用率などがある。
【０００４】
エージェント装置は、上述したようなマネージャ装置からの呼び出し要求に対応する情報を応答する。これにより、マネージャ装置は、監視制御対象のエージェント装置の状態を認識して、これに応じた内部設定を行って状態整合が完了する。
【０００５】
一方、マネージャ装置による状態整合が完了する前に、エージェント装置内部に障害や状態変化が生じた場合、エージェント装置は、マネージャ装置からの呼び出し要求に対する応答とは非同期に自律的に当該状態変化等に関する情報をマネージャ装置に通知する。この通知情報としては、例えばエージェント装置に実装されるＨ／Ｗに発生した障害を特定する障害種別、障害の発生・回復やその時刻などを示す情報がある。また、Ｈ／Ｗの運用状態の変化を示す情報なども考えられる。
【０００６】
マネージャ装置では、エージェント装置からの呼び出し要求に対する応答情報と、これと非同期に送信されるエージェント装置の障害や状態変化を通知する通知情報とを逐次受け取る。これにより、マネージャ装置は、上記応答情報に基づいてエージェント装置のＨ／Ｗ構成などを認識し、これに通知情報の内容を反映させて状態整合処理を行う。
【０００７】
図５は従来のマネージャ−エージェント監視制御システムによる状態整合の概要を示す図である。この図では、マネージャ装置がＭＩＢ（Ｍａｎａｇｅｍｅｎｔ  Ｉｎｆｏｒｍａｔｉｏｎ  Ｂａｓｅ）を保持せず、エージェント装置が実装するＨ／Ｗの構成情報を認識していない監視制御システムを例にしている。このようなシステムにおいて、マネージャ装置は、呼び出し要求に対する応答情報に基づいてエージェント装置のＨ／Ｗ構成情報を生成する前に、当該Ｈ／Ｗ構成に関する通知情報を受信してもこれを反映させることができない。
【０００８】
この場合、マネージャ装置は、このような通知情報を逐次格納すると共に、呼び出し要求に対する応答情報に基づいたエージェント装置のＨ／Ｗ構成の認識処理を進める。具体的には、応答情報に基づいてマネージャ装置がエージェント装置のＨ／Ｗ構成を特定する装置構成情報を生成する。エージェント装置の装置構成情報を生成すると、マネージャ装置は、エージェント装置からの通知情報を読み出して、これらを反映させた状態整合処理を行う。
【０００９】
また、上述のような動作において、エージェント装置のＨ／Ｗ構成を認識する前に、エージェント装置から通知情報が多発される場合がある。この場合、通知情報の格納メモリがオーバフローすると、マネージャ装置は、受信した通知情報を廃棄して、エージェント装置のＨ／Ｗ構成の認識処理を進める。
【００１０】
【発明が解決しようとする課題】
従来のマネージャ−エージェント監視制御システムは以上のように構成されているので、システムの立ち上げ時に複雑な状態整合処理を必要とする場合があり、マネージャ装置がエージェント装置を監視制御することができるまでの立ち上げ時間が遅延するという課題があった。
【００１１】
上記課題を具体的に説明する。
上述したように、呼び出し要求に対する応答情報がこれと同じ属性の状態変化の通知情報に追い越される場合がある。このとき、Ｈ／Ｗ構成を認識するまで、マネージャ装置は、当該通知情報を格納する。そして、Ｈ／Ｗ構成を認識してから、読み出した通知情報がどのエージェント装置に関するものか、また、どのＨ／Ｗに対応するものであるのかを識別し、さらに当該通知情報がどの時系列に属するかを特定して状態整合処理を行う。このような複雑な状態整合処理が、内部のメモリに格納した全ての通知情報について行われる。これにより、マネージャ−エージェント監視制御システムの立ち上げ時間が遅延する場合がある。
【００１２】
また、エージェント装置から通知情報が多発されてメモリがオーバフローすると、マネージャ装置は、受信した通知情報を廃棄する場合がある。この場合、エージェント装置側の観点で考えると、廃棄される無駄な情報をネットワークに送出してしまうため、ネットワークに負荷がかかることになる。一方、マネージャ装置側から考えると、廃棄された通知情報について状態整合処理を行うことができない。従って、状態整合に要する情報の時系列に矛盾が生じる可能性がある。
【００１３】
この発明は上記のような課題を解決するためになされたもので、通信接続が確立すると、エージェント装置がマネージャ装置に対する通知情報の発信を停止すると共に通知情報を履歴情報として格納し、マネージャ装置がエージェント装置の装置構成を認識すると、これまで格納された履歴情報に基づいてエージェント装置との状態整合処理を行うことで、状態整合時におけるマネージャ装置側の処理負荷や処理の煩雑さを削減して、マネージャ−エージェント監視制御システムの立ち上げ時間を短縮することができると共に、ネットワークへの不要情報の送出を抑えてネットワーク負荷を削減することができるマネージャ−エージェント監視制御システム、エージェント装置及びマネージャ−エージェント監視制御システムの状態整合方法並びにプログラムを得ることを目的とする。
【００１４】
【課題を解決するための手段】
この発明に係るマネージャ−エージェント監視制御システムは、監視対象のエージェント装置をネットワーク経由で監視制御するマネージャ装置を備えたマネージャ−エージェント監視制御システムにおいて、エージェント装置が、自己に発生した事象を伝える通知情報をマネージャ装置に発信する通知発信手段と、マネージャ装置からの通信確立要求の受信によって要求元のマネージャ装置を特定し、その特定したマネージャ装置との間で通信接続が確立すると、その特定したマネージャ装置に対する通知発信手段による通知情報の発信を停止する通知抑止手段と、通知抑止手段により発信が停止された通知情報を履歴情報として逐次格納する通知履歴格納手段と、特定したマネージャ装置により通知履歴格納手段に格納された履歴情報が取り出されたあとに、通知抑止手段による通知情報の発信の停止を解除する通知抑止解除手段とを備え、マネージャ装置が、エージェント装置に通信確立を要求する通信確立要求手段と、エージェント装置の装置構成を認識する装置構成認識手段と、装置構成の認識中にエージェント装置が格納した履歴情報を取得する履歴情報取得手段と、エージェント装置の各装置構成に履歴情報を反映させて状態整合処理を行う状態整合手段とを備えるものである。
【００１５】
この発明に係るエージェント装置は、ネットワーク経由でマネージャ装置に監視制御されるエージェント装置において、自己に発生した事象を伝える通知情報をマネージャ装置に発信する通知発信手段と、マネージャ装置からの通信確立要求の受信によって要求元のマネージャ装置を特定し、その特定したマネージャ装置との間で通信接続が確立すると、その特定したマネージャ装置に対する通知発信手段による通知情報の発信を停止する通知抑止手段と、特定したマネージャ装置によって自己の装置構成が認識される間に発生した事象に関する通知情報を履歴情報として逐次格納する通知履歴格納手段と、特定したマネージャ装置により通知履歴格納手段に格納された履歴情報が取り出されたあとに、通知抑止手段による通知情報の発信の停止を解除する通知抑止解除手段とを備えるものである。
【００１６】
この発明に係るマネージャ−エージェント監視制御システムの状態整合方法は、監視対象のエージェント装置をネットワーク経由で監視制御するマネージャ装置を備えたマネージャ−エージェント監視制御システムの状態整合方法において、エージェント装置が自己に発生した事象を伝える通知情報をマネージャ装置に発信する通知発信ステップと、エージェント装置がマネージャ装置からの通信確立要求の受信によって要求元のマネージャ装置を特定するマネージャ装置特定ステップと、エージェント装置と特定したマネージャ装置との両装置間で通信接続を確立する通信確立ステップと、両装置の通信接続が確立すると、エージェント装置が特定したマネージャ装置に対する自己に発生した事象を伝える通知情報の発信を停止する通知抑止ステップと、エージェント装置が発信を停止された通知情報を履歴情報として逐次格納する通知履歴格納ステップと、マネージャ装置がエージェント装置の装置構成を認識する装置構成認識ステップと、装置構成の認識中にエージェント装置が格納した履歴情報をマネージャ装置が逐次取得する履歴情報取得ステップと、エージェント装置が格納した履歴情報をマネージャ装置が取得したあとに、エージェント装置が通知情報の発信の停止を解除する通知抑止解除ステップと、マネージャ装置がエージェント装置の各装置構成に履歴情報を反映させて状態整合処理を行う状態整合ステップとを備えるものである。
【００１７】
この発明に係るプログラムは、自己に発生した事象を伝える通知情報をネットワーク経由で監視制御するマネージャ装置に発信する通知発信手段、マネージャ装置からの通信確立要求の受信によって要求元のマネージャ装置を特定し、その特定したマネージャ装置との間で通信接続が確立すると、その特定したマネージャ装置に対する通知発信手段による通知情報の発信を停止する通知抑止手段、特定したマネージャ装置によって自己の装置構成が認識される間に発生した事象に関する通知情報を履歴情報として逐次格納する通知履歴格納手段、特定したマネージャ装置により通知履歴格納手段に格納された履歴情報が取り出されたあとに、通知抑止手段による通知情報の発信の停止を解除する通知抑止解除手段としてコンピュータを機能させるものである。
【００１８】
【発明の実施の形態】
以下、この発明の実施の一形態を説明する。
実施の形態１．
図１はこの発明の実施の形態１によるマネージャ−エージェント監視制御システムの構成例を示す図であり、（ａ）はマネージャ装置とエージェント装置とが１対１の単一構成のシステムを示し、（ｂ）は１つのマネージャ装置が複数のエージェント装置を監視制御するシステムを示し、（ｃ）は１つのマネージャ装置が複数のエージェント装置を監視制御すると共に、１つのエージェント装置が複数のマネージャ装置によって監視制御されるシステムを示している。図において、１，１１〜１Ｎはエージェント装置２，２１〜２Ｎを監視制御するマネージャ装置であって、後述する状態整合動作を行うプログラムを実行するコンピュータ装置によって実現される。２，２１〜２Ｎは監視対象のエージェント装置で、マネージャ装置１，１１〜１Ｎと通信する手段を有し、後述する状態整合動作を行うプログラムを実行するコンピュータ装置によって実現される。なお、図中の矢印は、マネージャ装置１，１１〜１Ｎとエージェント装置２，２１〜２Ｎとの間の情報伝送を媒介する双方向通信回線である。
【００１９】
図２は図１中のマネージャ−エージェント監視制御システムの具体例を示す図であり、（ａ）はエージェント装置２，２１〜２Ｎの構成を示し、（ｂ）はエージェント装置のスロット構成を表示するマネージャ装置の表示画面を示している。図において、ネットワークに接続する通信回線の太さやネットワーク種別を表すＤＳ３，ＯＣ３，ＯＣ１２やＡＰＯＮを記載した部分は、これらの通信回線を利用する通信用ボード（通信用Ｈ／Ｗ）を示している。また、図中のシステムでは、イーサネット（Ｒ）網上に接続する異なるベンダーのエージェント装置も一律に管理するためのインタフェース仕様であるＴＭＮ（Ｔｅｌｅｃｏｍｍｕｎｉｃａｔｉｏｎ  Ｍａｎａｇｅｍｅｎｔ  Ｎｅｔｗｏｒｋ）を利用する例を示している。そのため、エージェント装置２，２１〜２Ｎは、ＴＭＮを利用するインタフェース機能を有している。なお、図１と同一構成要素には同一符号を付して重複する説明を省略する。
【００２０】
次に動作について説明する。
図３は実施の形態１のマネージャ−エージェント監視制御システムによる状態整合動作を示す図であり、図１（ｃ）のシステム構成を例に挙げて説明する。
先ず、例えばマネージャ装置１１がエージェント装置２ｍ（１≦ｍ≦Ｎ）との間で通信確立を要求する。これを受けて、エージェント装置２ｍは、マネージャ装置１１に通信確立完了応答を返信すると同時に、自己に発生する障害や状態変化を伝える通知情報の送信を抑止する。さらに詳細に説明すると、エージェント装置２ｍがマネージャ装置１１から受信した通信確立要求によってマネージャ装置１１を特定する。これにより、エージェント装置２ｍは、マネージャ装置１１との間で初期状態整合が完了していない旨を判断し、通信確立完了応答の返信と同時に、マネージャ装置１１への通知情報の送信を抑止する。当該動作は、通知情報の送信を抑止する機能を有するプログラムで具現化される通知抑止手段によってなされる。
【００２１】
このとき、図３に示すように、エージェント装置２ｍは、既に通信確立状態にあり、且つ初期状態整合が完了しているマネージャ装置１ｎ（１＜ｎ≦Ｎ）に対する通知情報の送信は抑止しない。
【００２２】
また、マネージャ装置１１〜１Ｎは、エージェント装置２１〜２ＮのＨ／Ｗ構成情報を保持する機能を有していない。このため、マネージャ装置１１では、エージェント装置２ｍのＨ／Ｗ構成情報が認識されていない。図２の例で説明すると、マネージャ装置１１は、図２（ａ）に示すＨ／Ｗ構成を認識しておらず、図２（ｂ）に示すようなエージェント装置２ｍのスロット構成画面を表示することはできない。
【００２３】
続いて、マネージャ装置１１は、エージェント装置２ｍに対して、最新の履歴通番ｎの読み出し要求を行う。また、エージェント装置２ｍは、上記要求を受けると、マネージャ装置１１に最新履歴通番ｎを応答する。ここで、履歴通番とは、エージェント装置２ｍ内に発生した事象（障害や状態変化）を識別する情報（発生時刻に応じて付与した通し番号など）である。つまり、マネージャ装置１１は、エージェント装置２ｍに対して、最新の通知情報の内容ではなく、それを識別する最新の履歴通番のみを要求・取得する。また、エージェント装置２ｍでは、履歴通番に対応づけて通知情報が保持される。このように、エージェント装置２ｍ内で履歴通番にて識別される通知情報のいわゆる履歴がとられる。当該動作は、履歴通番に対応づけて通知情報を履歴する機能を有するプログラムとメモリで具現化される通知履歴格納手段によってなされる。
【００２４】
マネージャ装置１１は、最新の履歴通番を取得・保持すると、図３中で符号Ａを付した破線で囲んだ期間において、エージェント装置２ｍから状態整合に必要な情報（Ｈ／Ｗ構成情報など）を読み出しエージェント装置２ｍに関する装置構成情報を生成する。当該動作は、Ｈ／Ｗ構成情報を受信してエージェント装置２ｍの装置構成を認識する機能を有するプログラムで具現化される装置構成認識手段によってなされる。また、このとき、エージェント装置２ｍでは、マネージャ装置１１に対する通知抑止状態の有無に関わらず、履歴通番に対応づけて発生事象に関する通知情報の履歴をとり続ける。
【００２５】
図２の例で説明すると、エージェント装置２ｍに関する装置構成情報として、マネージャ装置１１は、図２（ｂ）に示すようなエージェント装置２ｍのスロット構成を認識する。具体的には、図２（ｂ）中の斜線で示したスロットに、ＯＣ３，ＯＣ１２，ＤＳ３などの通信を制御するＨ／Ｗが実装されたことがわかる。ただし、この状態では状態整合が完了していないことから、各Ｈ／Ｗの運用状態は認識されていない。
【００２６】
上述した期間Ａにてエージェント装置２ｍのＨ／Ｗ構成の認識が完了すると、マネージャ装置１１は、上述した最新の履歴通番ｎ以降の履歴通番（ｎ＋１）〜Ｎに対応する履歴情報（通知情報）の読み出し要求をエージェント装置２ｍに行う。当該動作は、履歴情報を要求・取得する機能を有するプログラムで具現化される履歴情報取得手段によってなされる。
【００２７】
これによって、エージェント装置２ｍは、上述した最新の履歴通番以降の履歴通番に対応する全ての履歴情報をマネージャ装置１１に送信する（図３中の符号Ｂを付した期間を参照）。このあと、エージェント装置２ｍは、マネージャ装置１１に対する通知抑止を解除する。
【００２８】
マネージャ装置１１では、受け取った履歴情報に基づいて状態整合を実施する。このとき、上記履歴情報に基づいて状態整合している最中に受けた通知は、マネージャ装置１１内でキューイングして時系列順に状態整合を行う。また、当該動作は、履歴情報に基づく状態整合を実施する機能を有するプログラムで具現化される状態整合手段によってなされる。
【００２９】
図２の例で説明すると、マネージャ装置１１は、エージェント装置２ｍとの状態整合が完了すると、図２（ｂ）に示すようなエージェント装置２ｍのスロットに実装されたＨ／Ｗの状態表示、及び、その制御を行うＧＵＩを提供する。具体的には、図２（ｂ）に示す表示画面において、障害が発生したＨ／Ｗを実装するスロットに、他の正常なＨ／Ｗに関するスロットとは異なる表示（例えば、正常なものには緑色を付し、障害が発生したものには赤色を付す）でを施すことなどが考えられる。
【００３０】
次に、エージェント装置側からマネージャ装置に通信確立を要求した場合について説明する。
図４は実施の形態１のマネージャ−エージェント監視制御システムによる状態整合動作の他の例を示す図であり、図１（ｃ）のシステム構成を例に挙げて説明する。
先ず、エージェント装置２ｍがマネージャ装置１１との間で通信確立を要求する。これを受けて、マネージャ装置１１は、エージェント装置２ｍに通信確立完了応答を返信する。この通信確立応答を受けると、エージェント装置２ｍは、マネージャ装置１１への通知情報の送信を抑止する。以降の処理は、上述したものと同様であるので、重複する説明を省略する。
【００３１】
以上のように、この実施の形態１によれば、マネージャ装置１１とエージェント装置２ｍとの間で通信接続が確立すると、エージェント装置２ｍがマネージャ装置１１に対する自己に発生した事象を伝える通知情報の発信を停止すると共に、通知情報を履歴情報として逐次格納し、マネージャ装置１１がエージェント装置２ｍから装置構成を特定する情報を取得してＨ／Ｗ構成を認識すると、当該エージェント装置２ｍから装置構成の認識中に格納された履歴情報を逐次取得し、各装置構成に履歴情報を反映させて状態整合処理を行うので、システムの立ち上げ時間を短縮化することができる。特に、エージェント装置２ｍからの状態変化に関する通知情報が多発するシステムにおける立ち上げ時間の短縮化に有効である。また、通知情報の送信が抑止されることから、不要な情報の発出が抑えられてネットワーク負荷を軽減することができる。
【００３２】
なお、上記実施の形態１では、図１（ｃ）のシステム構成について説明したが、図１（ａ），（ｂ）で示すシステム構成についても適用することができるのは言うまでもない。
【００３３】
【発明の効果】
以上のように、この発明によれば、自己に発生した事象を伝える通知情報をネットワーク経由で監視制御するマネージャ装置に発信し、マネージャ装置からの通信確立要求の受信によって要求元のマネージャ装置を特定し、その特定したマネージャ装置とエージェント装置との間で通信接続が確立すると、エージェント装置がその特定したマネージャ装置に対する自己に発生した事象を伝える通知情報の発信を停止すると共に、通知情報を履歴情報として逐次格納し、マネージャ装置がエージェント装置から装置構成を特定する情報を取得して装置構成を認識すると、当該エージェント装置から装置構成の認識中に格納された履歴情報を逐次取得し、エージェント装置が通知情報の発信の停止を解除し、エージェント装置の各装置構成に履歴情報を反映させて状態整合処理を行うので、システムの立ち上げ時間を短縮化することができるという効果がある。特に、エージェント装置からの状態変化に関する通知情報が多発するシステムにおける立ち上げ時間の短縮化に有効である。また、通知情報の送信が抑止されることから、不要な情報の発出が抑えられてネットワーク負荷を軽減することができるという効果がある。
【図面の簡単な説明】
【図１】  この発明の実施の形態１によるマネージャ−エージェント監視制御システムの構成例を示す図である。
【図２】  図１（ａ）中のマネージャ−エージェント監視制御システムの具体例を示す図である。
【図３】  実施の形態１のマネージャ−エージェント監視制御システムによる状態整合動作を示す図である。
【図４】  実施の形態１のマネージャ−エージェント監視制御システムによる状態整合動作の他の例を示す図である。
【図５】  従来のマネージャ−エージェント監視制御システムによる状態整合の概要を示す図である。
【符号の説明】
１，１ｎ，１１〜１Ｎ  マネージャ装置、２，２ｍ，２１〜２Ｎ  エージェント装置。
【図１】
0004090759.tif 000002
【図２】
0004090759.tif 000003
【図３】
0004090759.tif 000004
【図４】
0004090759.tif 000005
【図５】
0004090759.tif 000006